(57)【要約】【課題】ウェットティッシュの積層体が内包され、ウェットティッシュの取出口が形成された包装体の交換を容易にし、収納される包装体の気密性を保持する。【解決手段】ウェットティッシュ１３０ａの積層体１３０が内包され、このウェットティッシュ１３０ａの取出口１１０が形成された包装体１００を収納する収納容器１において、包装体１００を収納する容器本体２と、容器本体２に回動可能に設けられた第１の蓋体１０と、第１の蓋体１０の裏面の取出開口部１４の周囲に設けられた貼合部１５と、第１の蓋体１０の表面に回動可能に設けられた第２の蓋体２０とを備える。更に、第１の蓋体１０と第２の蓋体２０との開閉方向が異なる向きとなるように形成させることで、包装体１００の交換を容易にし、収納される包装体１００の気密性を保持する。【選択図】図１
2007223621.tif 000002
【特許請求の範囲】
【請求項１】
ウェットティッシュの積層体が内包され、このウェットティッシュの取出口が形成された包装体を収納する収納容器において、
上面に開口部が形成され、上記包装体をこの包装体の上記取出口を上面にして収納する容器本体と、
上記容器本体の一側面に、第１の回動支持部により回動可能に設けられて、上記開口部を開閉すると共に、上記開口部を閉塞したとき、上記包装体の取出口と略一致する位置にウェットティッシュの取出開口部が形成された第１の蓋体と、
上記第１の蓋体の裏面であって、上記取出開口部の周囲に設けられ、上記包装体の取出口の周囲が貼合される貼合部と、
上記第１の蓋体の表面に第２の回動支持部により回動可能に設けられて、上記取出開口部を開閉する第２の蓋体とを備え、
上記第１の回動支持部と上記第２の回動支持部とは、上記第１の蓋体と上記第２の蓋体との開閉方向が異なる向きとなるように形成されていることを特徴とする収納容器。
【請求項２】
上記第１の蓋体の裏面であって、上記取出開口部の周囲には、上記包装体の取出口の周囲を補強する突出部が形成されていることを特徴とする請求項１記載の収納容器。
【請求項３】
上記貼合部には、感圧接着剤が用いられていること特徴とする請求項１又は請求項２記載の収納容器。
【発明の詳細な説明】
【技術分野】
【０００１】
本発明は、ウェットティッシュの積層体が内包され、ウェットティッシュの取出口が形成された包装体を収納する収納容器に関する。
【背景技術】
【０００２】
通常、ウェットティッシュの積層体が内包され、ウェットティッシュの取出口が形成された包装体は、収納容器に収納されて用いられる。特許文献１には、ウェットティッシュの積層体が内包され、ウェットティッシュの取出口が形成された包装体を収納し、気密性を有する収納容器が記載されている。特許文献１の収納容器は、箱形等に形成され、上面にウェットティッシュの取出開口部を有し、内部に包装体を収納する容器本体と、ヒンジ部を介して回動自在に設けられ、取出開口部を開閉する蓋体とで構成されている。
【０００３】
特許文献１の収納容器には、気密性を有し、ウェットティッシュの取出口が形成された包装体が収納され、この包装体の取出口が容器本体の上面に形成された取出開口部内に位置するように、包装体の取出口の周囲を取出開口部の裏面の周囲と接着剤で貼り合せることで、包装体の取出口の周囲と容器本体が密閉されて、容器本体内から包装体の中に外気が流入することを防止している。更に、特許文献１の収納容器は、蓋体の裏面であって、容器本体の上面に形成された取出開口部の周囲に対向する位置に、繰り返し接着可能な接着剤を設けることで、蓋体と容器本体が取出開口部の周囲で貼り合されて密閉され、取出開口部から包装体の中に外気が流入するのを防止している。これらにより、特許文献１の収納容器は、取出開口部の周囲が密閉されているので、包装体の気密性を保持できる。
【０００４】
しかしながら、特許文献１の収納容器は、内包されたウェットティッシュを使い尽くしたとき、収納容器内に収納された包装体を新しい包装体と交換するための構成を有しておらず、包装体と一緒に廃棄されるものであり、包装体の交換が不能である。更に、特許文献１の収納容器は、収納容器を廃棄するとき、ハサミ等で容器本体を開いて、収納されている包装体を収納容器の開口部の裏面から剥がし、分別する必要がある。
【０００５】
また、特許文献１の収納容器は、蓋体の裏面に繰り返し接着可能な接着剤が設けられているので、開閉を繰り返しているうちに、接着剤に塵埃等が付着して蓋体の気密性が低下し、ウェットティッシュに含侵させている液体が揮発しやすくなる。
【０００６】
更に、特許文献１の収納容器は、紙等で箱形に成形されているため、包装体だけの状態よりも保形性を有するがそれでも保管、輸送等の際に外圧を受けたり、継続して使用していると、収納容器の形状がくずれたり、蓋体を強く開けようとすると、接着剤で貼り合された包装体の取出口の周囲と容器本体とが剥がれる虞があり、収納容器に収納されている包装体の気密状態が保持できない可能性がある。
【０００７】
【特許文献１】特開２００１−２６９２８２号公報
【発明の開示】
【発明が解決しようとする課題】
【０００８】
本発明では、このような従来の事情に鑑みて提案されたものであり、収納容器に収納されたウェットティッシュの積層体が内包され、ウェットティッシュの取出口が形成された包装体の気密性を保持でき、収納される包装体の交換が容易にできる収納容器を提供することを目的とする。
【課題を解決するための手段】
【０００９】
上述した目的を達成するために本発明に係る収納容器は、このウェットティッシュの積層体が内包され、ウェットティッシュの取出口が形成された包装体を収納する収納容器において、上面に開口部が形成され、上記包装体をこの包装体の上記取出口を上面にして収納する容器本体と、上記容器本体の一側面に、第１の回動支持部により回動可能に設けられて、上記開口部を開閉すると共に、上記開口部を閉塞したとき、上記包装体の取出口と略一致する位置にウェットティッシュの取出開口部が形成された第１の蓋体と、上記第１の蓋体の裏面であって、上記取出開口部の周囲に設けられ、上記包装体の取出口の周囲が貼合される貼合部と、上記第１の蓋体の表面に第２の回動支持部により回動可能に設けられ、上記取出開口部を開閉する第２の蓋体を備えている。更に、上記第１の回動支持部と上記第２の回動支持部とは、上記第１の蓋体と上記第２の蓋体との開閉方向が異なる向きとなるように形成されている。
【発明の効果】
【００１０】
本発明に係る収納容器によれば、第１の蓋体を開閉することで、収納容器に収納される包装体の交換が容易に行えると共に、この包装体の取出口の周囲が、第１の蓋体の取出開口部の裏面に設けられる貼合部に貼り合せて密着されて包装体の取出口と第１の蓋体の取出開口部が連続し、更に第１の蓋体と第２の蓋体が密閉されることで、第１の蓋体の取出開口部内の包装体の上面と第２の蓋体の裏面との間に密閉された空間部が形成されるので、包装体の中に外気が流入するのを防止でき、更に、包装体の取出口において、ウェットティッシュに含侵された液体は、狭い空間部に揮発するのみなので乾燥を防止することができ、包装体の気密性を保持することができる。
また、このような収納容器において、第１の蓋体と第２の蓋体との開閉方向が異なる向きとなるように形成されていることによって、内包するウェットティッシュを使用するために第２の蓋体を開放するとき、誤って第１の蓋体も開放されてしまうことが防止できて、包装体の気密性を保持することができる。
【発明を実施するための最良の形態】
【００１１】
以下、本発明が適用された収納容器１について、図面を参照して説明する。
【００１２】
本発明が適用された収納容器１は、図１乃至図４に示すように、容器本体２の上面に開口部２ａが形成され、包装体１００を収納する容器本体２に、第１の回動支持部１０ａにより回動可能に第１の蓋体１０が設けられ、第１の蓋体１０の表面に第２の回動支持部２０ａにより回動可能に第２の蓋体２０が設けられている。
【００１３】
ここで、容器本体２、第１の蓋体１０及び第２の蓋体２０は、ポリプロピレン（ＰＰ）、ポリエチレン（ＰＥ）、ポリ塩化ビニル（ＰＶＣ）等の機械的強度を有する熱可塑性樹脂を用いて、射出成形等により一連一体に成型されている。これにより、収納容器１は、部品点数の削減ができ、組立の工程の簡素化を図ることができる。
【００１４】
容器本体２に収納される包装体１００は、図５に示すように、ポリプロピレン（ＰＰ）、ポリエチレン（ＰＥ）及びポリ塩化ビニル（ＰＶＣ）等の気密性、可撓性及び不透水性を有するフィルムからなり上面にウェットティッシュ１３０ａの取出口１１０が設けられた袋体と、この取出口１１０を覆うように裏面に接着剤が塗布されているシート状の蓋体１２０が設けられている。この包装体１００の中には、紙や不織布等の基布に使用目的に応じて、水、アルコール、除菌剤、防腐剤及び香料等の液体を含浸させ略矩形形状に形成されたウェットティッシュ１３０ａが、最上部のウェットティッシュ１３０ａを取り出すとこれに続いて次のウェットティッシュ１３０ａが連続して取り出せるように積層された積層体１３０が内包されている。
【００１５】
また、図６及び図７に示すように、ウェットティッシュ１３０ａの積層体１３０が内包され、ウェットティッシュ１３０ａの取出口１１０が形成された包装体１００は、上面に開口部２ａが形成された容器本体２に、ウェットティッシュ１３０ａの取出口１１０を上面にして収納される。
【００１６】
以上のような包装体１００を収納する容器本体２は、全体が箱形形状であり、上面全体に開口部２ａが形成され、開口部２ａに連続して包装体１００を収納する収納部２ｂが形成され、開口部２ａの上面の近傍に全周に亘って内側に向かって突出した嵌合凸部１１が形成されている。
【００１７】
以上のように構成された容器本体２には、図８に示すように、容器本体２の開口部２ａの前側面に、第１の回動支持部１０ａにより回動可能に第１の蓋体１０が設けられている。第１の回動支持部１０ａは、熱可塑性樹脂を用いて射出成形等により容器本体２と第１の蓋体１０を一連一体に成型し、直線的な肉薄部を形成することにより構成されている。
【００１８】
なお、第１の回動支持部１０ａは、容器本体２と第１の蓋体１０を一連一体に成型するものに限定されるものでなく、回動軸を用いて回動可能に支持するように設けてもよい。
【００１９】
容器本体２に設けられ回動可能な第１の蓋体１０は、容器本体２の開口部２ａを開閉するものであり、開口部２ａの大きさや形状に対応して形成されている。具体的には、第１の蓋体１０は、主面部１０ｂに周壁１０ｃが形成されている。
【００２０】
この周壁１０ｃは、図９に示すように、内周面が包装体１００と略同様の大きさに形成され、外周面が容器本体２の開口部２ａの内側に侵入するものであって、周壁１０ｃの外側に全周に亘って嵌合凹部１２が形成されている。この嵌合凹部１２は、容器本体２の開口部２ａの上面の近傍に全周に亘って内側に向かって突出した嵌合凸部１１と嵌合する。これにより、第１の蓋体１０と容器本体２は、均一に嵌合され、容器本体２の開口部２ａを確実に密閉することができる。
【００２１】
第１の蓋体１０の主面部１０ｂの裏面には、図７に示すように、突出部１３が形成され、この突出部１３の表面は、平坦に形成されている。この突出部１３には、第１の蓋体１０が容器本体２の開口部２ａを閉塞したとき、包装体１００の取出口１１０と略一致する位置に取出開口部１４が形成されている。また、取出開口部１４の周囲には、貼合部１５が形成されている。この貼合部１５には、繰り返し接着可能なポリエステル系、アクリル系、ゴム系等の感圧接着剤が用いられ、包装体１００の取出口１１０の周囲と突出部１３が貼合され、密着される。これにより、貼合部１５は、容器本体２の収納部２ｂから包装体１００の中に外気が流入するのを防止できる。
【００２２】
一方、第１の蓋体１０の主面部１０ｂの表面には、図６に示すように、突出部１３を形成するための、凹部１６が形成されている。凹部１６には、第１の蓋体１０の取出開口部１４が位置しており、取出開口部１４の周囲に第１の環状壁部１７が形成されている。
【００２３】
第１の環状壁部１７には、第２の蓋体２０が閉塞したとき、第１の環状壁部１７の上面が第２の蓋体２０の底面と接触しないような高さに形成されている。
【００２４】
凹部１６には、図１０に示すように、第１の蓋体１０との開閉方向が異なる向きとなるように第１の回動支持部１０ａと相対して平行な凹部１６の背面の上部に、第２の回動支持部２０ａにより回動可能に第２の蓋体２０が設けられている。
【００２５】
第２の回動支持部２０ａは、熱可塑性樹脂を用いて射出成形等により第１の蓋体１０と第２の蓋体２０を一連一体に成型し、直線的な肉薄部を形成することにより構成されている。
【００２６】
なお、第２の回動支持部２０ａは、第１の蓋体１０と第２の蓋体２０を一連一体に成型するものに限定されるものでなく、回動軸を用いて回動可能に支持するように設けてもよい。
【００２７】
第１の蓋体１０に設けられ回動可能な第２の蓋体２０は、図１１及び図１２に示すように、第１の蓋体１０の取出開口部１４を開閉するものであり、略方形形状をした薄板形状に形成されている。また、第２の蓋体２０は、閉塞したとき、凹部１６と各々間隙部１８を有して収納され、第２の蓋体２０の自由端側の間隙部１８が、例えば第２の蓋体２０を開放するときに、容易に指を入れることができる程度の大きさを設けるため、凹部１６より小さく形成されている。更に、第２の蓋体２０の裏面と凹部１６の底面には、例えば第２の蓋体２０を開放するときに、第２の蓋体２０を指で掴むことができるような間隙部１８が形成されている。そして、第２の蓋体２０は、図１３に示すように、取出開口部１４に臨む裏面に第２の環状壁部２１が形成されている。
【００２８】
第２の環状壁部２１は、第２の蓋体２０が閉塞したときに、第１の蓋体１０の取出開口部１４の周囲に形成された第１の環状壁部１７の外側に嵌合させる。これにより、第２の蓋体２０が閉塞したときは、第１の蓋体１０の第１の環状壁部１７の外周面と第２の蓋体２０の第２の環状壁部２１の内周面とで嵌合され、密閉することができる。
【００２９】
なお、第１の環状壁部１７と第２の環状壁部２１は、第１の環状壁部１７の内周面と第２の環状壁部２１の外周面とで嵌合されるように形成してもよい。
【００３０】
また、第１の環状壁部１７と第２の環状壁部２１は、第１の環状壁部１７の外周面に沿って全周に亘って外側に向かって突出した凸部を形成し、この凸部と嵌合可能な第２の環状壁部２１の内周面に沿って全周に亘って凹溝を形成してもよい。これにより、第１の環状壁部１７と第２の環状壁部２１は、均一に嵌合され、第１の蓋体１０と第２の蓋体２０とを確実に密閉させることができる。
【００３１】
また、第１の環状壁部１７と第２の環状壁部２１は、嵌合しやすくなるように、各々の外周面及び内周面の挿入側に傾斜面を形成する等、ガイド面を形成してもよい。
【００３２】
更に、容器本体２及び第１の蓋体１０の角部に貫通孔を有する紐等を引っ掛けるための突出片３０を設けてもよい。
【００３３】
次に、以上のように構成された収納容器１の使用方法について説明する。
【００３４】
先ず、収納容器１に包装体１００を収納する。このときは、容器本体２及び第１の蓋体１０の背側面を内側方向に押し込む等して、容器本体２の嵌合凸部１１と第１の蓋体１０の嵌合凹部１２との嵌合状態を外し、図７に示すように、第１の蓋体１０を開放する。次に、包装体１００からシート状の蓋体１２０を剥がす。次に、第１の蓋体１０の周壁１０ｃの内周面が包装体１００と略同様の大きさに形成されているので、周壁１０ｃの内周面の立上壁部でガイドさせ、包装体１００の取出口１１０と取出開口部１４を一致させる。次に、包装体１００の取出口１１０の周囲を第１の蓋体１０の裏面の貼合部１５に貼り付けて密着させる。このとき、貼合部１５が設けられている突出部１３は、突出形成され、包装体１００の取出口１１０の周囲と接するので、包装体１００が第１の蓋体１０の裏面に押圧されると、包装体１００の取出口１１０の周囲に押圧力が集中され、包装体１００の取出口１１０の周囲と貼合部１５が密着される。次に、包装体１００が貼り合された第１の蓋体１０を閉塞し、容器本体２の嵌合凸部１１と第１の蓋体１０の嵌合凹部１２とを嵌合させる。
【００３５】
また、収納した状態で保管するときは、図１１に示すように、第１の蓋体１０及び第２の蓋体２０を閉塞しておく。これにより、包装体１００の取出口１１０の周囲と第１の蓋体１０の裏面の突出部１３が貼合部１５により密閉され、包装体１００の取出口１１０と第１の蓋体１０の取出開口部１４が連続すると共に、第１の蓋体１０と第２の蓋体２０が密閉され、第１の蓋体１０の取出開口部１４内の包装体１００の上面と第２の蓋体２０の裏面との間に密閉された空間部１９が形成されるので、包装体１００の中に外気が流入するのを防止でき、更に、包装体１００の取出口１１０において、ウェットティッシュ１３０ａに含侵された液体は、狭い空間部１９に揮発するのみなので乾燥を防止することができ、包装体１００の気密性が保持される。
【００３６】
また、ウェットティッシュ１３０ａを使用するときは、第１の蓋体１０の上面に形成される凹部１６と第２の蓋体２０との間隙部１８に指を入れる等して、第１の蓋体１０の第１の環状壁部１７と第２の蓋体２０の第２の環状壁部２１との嵌合状態を外し、図６及び図８に示すように、第２の蓋体２０を開放する。このとき、第１の蓋体１０と第２の蓋体２０の開閉方向が異なることで、第２の蓋体２０を開放するときに、一緒に第１の蓋体１０を開けてしまうことが防止されている。次に、ウェットティッシュ１３０ａを取り出す。このとき、突出部１３は、包装体１００の取出口１１０の周囲と貼合部１５により貼り合されているので、可撓性を有するフィルムにより形成された包装体１００の取出口１１０の形態を保持し、包装体１００の取出口１１０の周囲に加わる引張り力を平坦に形成された突出部１３の表面全体で受けることで、引張り力を分散することができ、ウェットティッシュ１３０ａの取出口１１０が裂けることを防止している。
【００３７】
また、包装体１００に内包されるウェットティッシュ１３０ａを使い尽くし、収納される包装体１００を交換するときは、包装体１００を収納するときと同様に、先ず、容器本体２の嵌合凸部１１と第１の蓋体１０の嵌合凹部１２との嵌合状態を外し、図７に示すように、第１の蓋体１０を開放させる。次に、第１の蓋体１０の裏面に設けられた貼合部１５から包装体１００を剥がす。次に、包装体１００を収納するときと同様の手順で新しい包装体１００を貼合部１５に貼り合せて交換する。ここで、貼合部１５は、包装体１００と第１の蓋体１０の裏面に形成された突出部１３を貼り合せるものであるが、着脱を頻繁に繰り返して使用されるものではないため、劣化し難く長期に亘り利用可能であり、収納容器２の内側に形成されているため、塵埃等が付着することを防止している。
【００３８】
以上のように構成された収納容器１は、容器本体２の開口部２ａを開閉する第１の蓋体１０により、収納容器１に収納する包装体１００を交換することができ、再利用することができる。また、収納容器１は、第１の蓋体１０を開放し、包装体１００を貼合部１５から剥がし、新しい包装体１００を貼合部１５に貼り合せ、包装体１００が貼り合された第１の蓋体１０を閉塞させるという簡単な作業で包装体１００の交換ができ、分別することができる。
【００３９】
このとき、第１の蓋体１０は、周壁１０ｃの内周面が包装体１００と略同様の大きさに形成されているので、第１の蓋体１０の周壁１０ｃの内周面の立上壁部が、包装体１００の取出口１１０と取出開口部１４が一致するようにガイドでき、包装体１００を容易に収納できる。
【００４０】
更に、貼合部１５が設けられている突出部１３は、突出形成され、包装体１００の取出口１１０の周囲と接しているので、包装体１００が第１の蓋体１０の裏面に押圧されると、包装体１００の取出口１１０の周囲に押圧力が集中され、包装体１００の取出口１１０の周囲と貼合部１５が容易に密着できる。
【００４１】
また、ウェットティッシュ１３０ａを取り出すときは、包装体１００が可撓性を有するフィルムによって形成されているので、引張り力により、包装体１００の取出口１１０の形態を保持し難くなるのを、包装体１００の取出口１１０の周囲を表面が平坦に形成された突出部１３に貼り合せることで、突出部１３全体で包装体１００の取出口１１０に加わる引張り力を受止めることができ、包装体１００の取出口１１０の形態が保持されるので、ウェットティッシュ１３０ａの取出口１１０が裂けることを防止できる。
【００４２】
更に、収納容器１は、気密性を有するフィルムで形成される包装体１００の取出口１１０の周囲が、第１の蓋体１０の裏面の取出開口部１４の周囲に形成された貼合部１５に貼り合せて密着されることで、容器本体２内から包装体１００の中に外気が流入するのを防止できる。
【００４３】
更に、この収納容器１は、第２の蓋体２０を閉塞し保管するときは、取出開口部１４が第１の蓋体１０に形成される第１の環状壁部１７の外周面と第２の蓋体２０に形成される第２の環状壁部２１の内周面とが全周に亘って嵌合されることで、第１の蓋体１０と第２の蓋体２０が密閉され、取出開口部１４から包装体１００の中に外気が流入するのを防止できる。このとき、この収納容器１は、熱可塑性樹脂を用いて成型されているので、取出開口部１４を密閉する第１の環状壁部１７と第２の環状壁部２１は、開閉を繰り返しても十分に気密性を保持できる。
【００４４】
これらにより、この収納容器１は、第２の蓋体２０を閉塞し保管するとき、容器本体２の開口部２ａを開閉する第１の蓋体１０を有していても、第１の蓋体１０の取出開口部１４内の包装体１００の上面と第２の蓋体２０の裏面との間に密閉された空間部１９が形成されるので、包装体１００の中に外気が流入するのを防止でき、更に、包装体１００の取出口１１０において、ウェットティッシュ１３０ａに含侵された液体は、狭い空間部１９に揮発するのみなので乾燥を防止することができ、包装体１００の気密性を保持することができる。
【００４５】
また、この収納容器１は、第１の蓋体１０と第２の蓋体２０の開閉方向が異なるので、内包するウェットティッシュ１３０ａを使用するため第２の蓋体２０を開放するときに、誤って第１の蓋体１０を一緒に開放してしまい、使用途中の包装体１００が、第１の蓋体１０の貼合部１５から剥がれてしまうことや包装体１００が破けたり、傷つくこと等を防止でき、包装体１００の気密性を保持できる。
【００４６】
なお、第１の蓋体１０及び第２の蓋体２０は、第１の蓋体１０と第２の蓋体２０との開閉方向が異なる向きとなるように形成されていればよく、例えば、第１の蓋体１０が容器本体２の開口部２ａの前側面に設けられたとき、第２の蓋体２０が、第１の蓋体１０と平行向きである背側面や、直交する向きである左右側面に設けられてもよい。また、第１の蓋体１０は、前側面に限定されるものでなく、左側面、右側面又は背側面に設けられてもよい。
【図面の簡単な説明】
【００４７】
【図１】本発明を適用した収納容器の第２の蓋体を開放した状態の斜視図である。
【図２】本発明を適用した収納容器の正面図である。
【図３】本発明を適用した収納容器の右側面図である。
【図４】本発明を適用した収納容器の底面図である。
【図５】ウェットティッシュの積層体が内包され、ウェットティッシュの取出口が形成された包装体の斜視図である。
【図６】本発明を適用した収納容器の使用状態を示した斜視図である。
【図７】本発明を適用した収納容器の第１の蓋体を開放した状態の斜視図ある。
【図８】本発明を適用した収納容器の使用状態を示した縦断面図である。
【図９】本発明を適用した収納容器の背面図である。
【図１０】第１の蓋体及び第２の蓋体の開放状態を示した縦断面図である。
【図１１】本発明を適用した収納容器の第２の蓋体を閉塞した状態の斜視図ある。
【図１２】本発明を適用した収納容器の縦断面図である。
【図１３】本発明を適用した収納容器の平面図である。
【符号の説明】
【００４８】
１  収納容器、２  容器本体、２ａ  開口部、２ｂ  収納部、１０  第１の蓋体、１０ａ  第１の回動支持部、１０ｂ  主面部、１０ｃ  周壁、１１  嵌合凸部、１２  嵌合凹部、１３  突出部、１４  取出開口部、１５  貼合部、１６  凹部、１７  第１の環状壁部、１８  間隙部、１９  空間部、２０  第２の蓋体、２０ａ  第２の回動支持部、２１  第２の環状壁部、３０  突出片、１００  包装体、１１０  取出口、１２０  蓋体、１３０ａ  ウェットティッシュ、１３０  積層体
【図１】
2007223621.tif 000003
【図２】
2007223621.tif 000004
【図３】
2007223621.tif 000005
【図４】
2007223621.tif 000006
【図５】
2007223621.tif 000007
【図６】
2007223621.tif 000008
【図７】
2007223621.tif 000009
【図８】
2007223621.tif 000010
【図９】
2007223621.tif 000011
【図１０】
2007223621.tif 000012
【図１１】
2007223621.tif 000013
【図１２】
2007223621.tif 000014
【図１３】
2007223621.tif 000015